(57)【要約】      （修正有）【課題】縫合機構による縫合せ状態、折れ縫針の飛散状態、縫目状態等を確認でき、縫製技術向上と折れ針等の復元作業や針目の調整作業を容易にし縫製品の安全性を高め縫製品の縫い目等の仕上り状態を確認し縫製加工品の不良品を減少し、縫合機構の目視もできる，ミシン用カメラユニットを提供する。【解決手段】ミシンの台座内部に有する縫合機構Ａを映像で確認するカメラユニット１１を設け、このカメラユニットが縫合機構Ａを投影するレンズ１２とレンズからの投影を取込みテレビに映像として送信するカメラ１４とカメラを固定した枠体１５と送信した映像を映し出すテレビ１７を設けてなる構成。又カメラ１４を固定した枠体１５がミシンの台座３に着脱自在に装着する構成。更に縫合されたミシン目状態をテレビに映像で目視するカメラユニット１１の支持台１８をカメラユニットと別に設けている構成。【選択図】図２
2005021473.tif 000002
【特許請求の範囲】
【請求項１】
台座（３）に立設するミシン本体（２）に縫針（８）を上下動させて二つの被縫製物を縫い合わせる縫合機構を有したミシン（１）に於いて、上記ミシンの台座内部に有する縫合機構（Ａ）を映像にして確認するカメラユニット（１１）を設け、このカメラユニットが縫合機構（Ａ）を投影するレンズ（１２）と、レンズと連なりレンズからの投影を取り込み、テレビに映像として送信するカメラ本体（１４）と、カメラ本体を固定した枠体（１５）と、送信された映像を映し出すテレビ（１７）とを設けてなることを特徴としたミシン用カメラユニット。
【請求項２】
上記カメラ本体（１４）を固定した枠体（１５）がミシンの台座（３）に着脱自在に装着していることを特徴とする請求項１記載のミシン用カメラユニット。
【請求項３】
上記縫い合わされたミシン目状態をテレビに映像にして目視するようカメラユニット（１１）を立設する支持台（１８）をカメラユニットと別体に設けていることを特徴とする請求項１記載のミシン用カメラユニット。
【発明の詳細な説明】
【０００１】
【発明の属する技術分野】
本発明は二つの被縫製物を縫い合わすミシンの縫合機構を映像にて確認するミシン用カメラユニットに関するものである。
【０００２】
【従来の技術】
従来、ミシンは、台座に立設するミシン本体を設け、このミシン本体前方の上部より上糸を有する縫針を上下動させて、台座上の二つの被縫製物を縫い合わせる縫合機構を備えている。このミシンの縫合機構は、縫針の下方に相当する台座位置に針穴を設け、この針穴の下方で台座内部に釜部を設け、この釜部内に下糸を有するボビンを着脱自在に装着している。
【０００３】
そして、このミシンの縫合機構は、上糸を有する縫針が下動し、被縫製物を貫通して、台座の針穴を通り釜部内に導き、縫針の上糸が釜部内の下糸を引っ掛けた状態で縫針が上動し、台座の針穴を通り被縫製物を貫通するこの動作を繰り返して上糸と下糸とにて二つの被縫製物を縫い合わすようにしていた。
【０００４】
【発明が解決しようとする課題】
ところが、この種のミシンでは、台座内に釜部を目視することができないために、ミシンの縫合機構による縫針と被縫製物の厚さとの関係、直線縫いや曲線縫いによる縫針の影響等縫合せ状態、又は、縫針が折れた場合に縫針にどんな負荷がかかり、なぜ折れたのか、折れた縫針がどんな風に折れ、折れた部分がどんな方向にどんな状態で飛散したか等の折れ縫針の飛散状態、更にどんな状況で針目が飛んだのか、針目が乱れたのか等の縫い目状態を知ることが全くなく、縫製技術の向上と折れ針等の復元作業や針目の調整作業を容易にして安全性をはかり、縫製加工品の不良品の減少をはかることができなかった。
【０００５】
又、針と釜の位置調整をする際には、台座部分の向こう正面は可動可能に支持されているので、台座部分を正面側から向こう正面に向けて持ち上げ、ミシンを斜め上方に起こし、この状態で左側面の方向から薄暗い釜内部を覗き込んで作業を行う必要があり、作業をする技術者は伸び上がって顔を斜めにして覗き込む姿勢で釜内部を見ながら作業をすることとなるために、調整にも長い時間がかかり、腰痛を引き起こし、目の疲労も激しくなって、大変な作業となっていた。
【０００６】
又、縫い合わされた二つの被縫製物の縫い目の位置や縫い目の巾等の仕上がり状態を確認することができず縫製加工品の不良品となるという問題点があった。更に、ミシンの研修等では、多くの人数でミシンの周りに集まって行っても、一人一人が縫合操作や縫合機構を同時に確認することができないという問題点があった。
【０００７】
そこで、本発明はこのような従来のミシンが有していた課題を解決したものであって、縫合機構による縫合せ状態、折れ縫針の飛散状態、縫い目状態等を確認できて、縫製技術の向上と折れ針等の復元作業や針目の調整作業を容易にして縫製加工品の安全性を高めると共に縫製加工品の縫い目等の仕上がり状態を確認して縫製加工品の不良品を減少し、多人数での縫合機構の目視も容易であることを目的としたミシン用カメラユニットを提供するにある。
【０００８】
【課題を解決するための手段】
上記目的を達成するために、本発明のミシンは、台座３に立設するミシン本体２に縫針８を上下動させて二つの被縫製物を縫い合わせる縫合機構を有したミシン１に於いて、上記ミシンの台座内部に有する縫合機構Ａを映像にして確認するカメラユニット１１を設け、このカメラユニットが縫合機構Ａを投影するレンズ１２と、レンズと連なりレンズからの投影を取り込み、テレビに映像として送信するカメラ本体１４と、カメラ本体を固定した枠体１５と、送信された映像を映し出すテレビ１７とを設けてなる構成としている。
【０００９】
又、カメラ本体１４を固定した枠体１５がミシンの台座３に着脱自在に装着する構成としている。更に、縫い合わされたミシン目状態をテレビに映像にして目視するようカメラユニット１１を立設する支持台１８をカメラユニットと別体に設けている構成としている。
【００１０】
【発明の実施の形態】
以下、本発明の実施例について図に基づき説明する。
図中、図１は本発明実施例の斜視図、図２は本発明実施例の概略説明図、図３は本発明実施例のカメラユニットと支持台とを示す斜視図、図４は本発明実施例のカメラユニットの支持状態を示す側面図、図５は本発明実施例のカメラユニットの支持状態を示す正面図である。
【００１１】
ミシン１は、図１及び図２に示すように、台座３上に支柱部４と、支柱部の上端より水平に延びたアーム部５と、アーム部の先端より下方に延びた垂下部６とを一体的に形成したミシン本体２とから構成されている。
７は、台座３と面一とした針受け台であって、この針受け台のほぼ中央位置に上糸（図示省略）を備えた縫針８を通す針穴９を設け、針受け台の下部内に釜部（図示省略）を設け、この釜部内に下糸（図示省略）を備えたボビン（図示省略）を配置している。
【００１２】
１０は、二つの被縫製物（図示省略）を台座上に抑えつける抑え金である。
このミシン１は、針受け台７上面の二つの被縫製物を縫い合わせる縫合機構Ａを備えている。この縫合機構Ａは、上糸を備えた縫針８が針受け台下部内のボビンの下糸を引っ掛けて上昇し、この操作を繰り返し上糸と下糸とにて針受け台上面の二つの被縫製物を縫い合わすようにしている。
【００１３】
台座３は、図１及び図２に示すように、側方より中央の縫針８に向けて大きな巾で溝部を設け、この溝部内の中央に針受け台７を装着している。
この台座の側方端と針受け台との間の溝部内に後述のカメラユニット１１を装着している。
【００１４】
ミシン１の縫合機構Ａを投影して映像とするカメラユニット１１は、図３に示すように、ミシン１の縫合機構Ａを投影するレンズ１２と、レンズのピントを合わせるピントレバー１３と、レンズと連なりレンズからの投影を取り込むカメラ本体１４と、カメラ本体を固定した枠体１５とから構成されており、図２に示すように、カメラ本体からの配線１６にてテレビ１７と接続している。
【００１５】
このカメラユニット１１は、ミシン１の台座３の側方端より溝内に着脱自在に装着しているので、レンズ１２のピントもピントレバー１３にて自由に調整することもでき、又、溝内より枠体１５の後方を浮き上がらせて、斜めに装着し針受け台下部内の縫合機構Ａの確認をより効果的な位置へと調整することができる。
【００１６】
カメラユニットのカメラ本体１４は、レンズ１２からの投影を取り込み、配線１６を介してテレビ１７に映像として送信しており、このテレビに映し出された映像を多人数で見ることができる。
【００１７】
カメラユニットの枠体１５は、図３に示すように、表面平板状で左右側壁を徐々に少なくしてちり取り型に形成しており、内側にレンズ１２、ピントレバー１３及びカメラ本体１４を配置している。
このレンズ１２、ピントレバー１３及びカメラ本体１４は、枠体１５の内側にあって、わずかに傾斜した状態で配置されて、ミシンの台座３にセットされたとき、縫合機構Ａをより確認できるようにしている。
【００１８】
カメラユニットの枠体１５は、表面を台座３の表面と面一に設けて、被縫製物の移動をスムーズにしてもよく、又、台座の表面と面一にすることもなく、枠体の左右側壁の斜めに沿って台座側方より傾斜させることもできる。
【００１９】
このようにして、ミシンの台座３にカメラユニット１１がセットされると、針受け台下部内の縫合機構Ａがテレビ１７に映像されるので、縫針と被縫製物の厚さとの関係、直線縫いや曲線縫いによる縫針の影響等縫合せ状態、又は、縫針が折れた場合に縫針にどんな負荷がかかり、なぜ折れたのか、折れた縫針がどんな風に折れ、折れた部分がどんな方向にどんな状態で飛散したか等の折れ縫針の飛散状態、更にどんな状況で針目が飛んだのか、針目が乱れたのか等の縫い目状態を知ることができるために、縫製技術の向上と折れ針等の復元作業や針目の調整作業を容易にして安全性をはかり、縫製加工品の不良品の減少をはかることができる。
【００２０】
次に、カメラユニット１１を立設する支持台１８は、図３乃至図５に示すように、左右の形状は同じで大きさの違った支え台１９、２０と、この両支え台１９、２０を内側中央で連結する保持板２１と、両支え台１９、２０にそれぞれ立設した同じ大きさ同じ形状の枠体挟み板２２，２３とを設けている。
【００２１】
支持台の保持板２１は図３又は図５に示すように、目盛りを備えており、縫い合わされた二つの被縫製物（図示省略）の縫い目の位置や巾を確認するためのものである。
支持台の支え台１９、２０はそれぞれ二枚の板を間隔を隔てて平行に配置しており、この二枚の板間は、カメラユニットの枠体１５の表面の板厚よりもわずかに大きくして、枠体を上下摺動自在に装着している。
【００２２】
支持台１８にカメラユニットをセットした状態で、縫い合わされた二つの被縫製物の縫い目を目盛りの下端に配置して、この縫製加工品を徐々に縫い目に沿って移動するか又は、支持台を徐々に移動することにより、縫い目がテレビによって確認できるので、縫い目の位置や縫い目の巾等の仕上がり状態を一目で判断でき、修正を即座に行うことができる。
【００２３】
以上本発明の代表例と思われる実施例について説明したが、本発明は必ずしもこれらの実施例構造のみに限定されるものではなく、本発明にいう前記の構成要件を備え、かつ本発明にいう目的を達成し、以下にいう効果を有する範囲内において適宜改変して実施することができるものである。
【００２４】
【発明の効果】
以上の説明から既に明らかなように、本発明にいうところのミシンは台座に立設するミシン本体に縫針を上下動させて二つの被縫製物を縫い合わせる縫合機構を有したミシンに於いて、上記縫い合わされる二つの被縫製物の縫合機構を映像にして確認するカメラユニットを設け、このカメラユニットが縫合機構を投影するレンズと、レンズと連なりレンズからの投影を取り込み、テレビに映像として送信するカメラ本体と、カメラ本体を固定した枠体と、送信された映像を映し出すテレビとを設けてなる構成としている。又、カメラ本体１４を固定した枠体１５がミシンの台座３に着脱自在に装着しているので、縫合機構による縫合せ状態、折れ縫針の飛散状態、縫い目状態等を確認できて、縫製技術の向上と折れ針等の復元作業や針目の調整作業を容易にして縫製加工品の安全性を高めると共に、多人数での目視も容易であるという顕著な効果を期待することが出来るに至ったのである。
【００２５】
又、ミシンの正面に座ったまま、拡大されたテレビ画面を見ながら、作業が出来るので、従来のように腰痛や目の疲労も少なくして、作業時いらいらすることもなく、正確に調整することが可能となり、ミシンと釜を併せる作業精度も向上させることができ、その作業も画面で見ることができるために、熟練技術者の技術を複数の人が一度に見ることができて、教育を受ける際にも非常に便利となる。
【００２６】
更に、縫い合わされたミシン目状態をテレビに映像にして目視するようカメラユニットを立設する支持台をカメラユニットと別体に設けているので、縫い目の位置や縫い目の巾等の仕上がり状態も即座に確認でき、修正を行うことができるために、縫製加工品の不良品を軽減することができるという顕著な効果を期待することが出来るに至ったのである。
【図面の簡単な説明】
【図１】本発明実施例の斜視図。
【図２】本発明実施例の概略説明図。
【図３】本発明実施例のカメラユニットと支持台とを示す斜視図。
【図４】本発明実施例のカメラユニットの支持状態を示す側面図。
【図５】本発明実施例のカメラユニットの支持状態を示す正面図。
【符号の説明】
１  ミシン
２  ミシン本体
３  台座
４  支柱部
５  アーム部
６  垂下部
７  針受け台
８  縫針
９  針穴
１０  抑え金
１１  カメラユニット
１２  レンズ
１３  ピントレバー
１４  カメラ本体
１５  枠体
１６  配線
１７  テレビ
１８  支持台
１９  左側の支え台
２０  右側の支え台枠体
２１  保持板
２２  左側の枠体挟板
２３  右側の枠体挟板
Ａ  縫合機構
【図１】
2005021473.tif 000003
【図２】
2005021473.tif 000004
【図３】
2005021473.tif 000005
【図４】
2005021473.tif 000006
【図５】
2005021473.tif 000007